(57)【要約】  【課題】  制御装置のメモリ容量を大型化させることなく、刺繍枠の刺繍領域よりも大きい刺繍エリアを有する大型刺繍模様の縫製に際して、大型刺繍模様を刺繍状態に近い緻密な状態で、迅速に表示できるようにすること。  【解決手段】  刺繍枠の刺繍領域よりも大きな大型刺繍模様を複数の分割模様に分割して刺繍縫製する為に、複数の大型刺繍模様の各々に関する複数の分割模様の刺繍縫製データを記憶した刺繍データメモリと、ディスプレイを含む表示手段とを備えた刺繍縫製可能なミシンにおいて、その制御装置のＲＯＭに、複数の大型刺繍模様をディスプレイに刺繍状態に近い状態で夫々表示する為の複数の模様表示データ（ビットマップデータ）を記憶した模様表示データメモリ１８ｂを設け、指定された大型刺繍模様の模様表示データを、模様表示データメモリ１８ｂから読み出してディスプレイに表示させるようにした。【選択図】  図３
2006043232.tif 000002
【特許請求の範囲】
【請求項１】
刺繍枠の刺繍領域よりも大きな大型刺繍模様を複数の分割模様に分割して刺繍縫製する為に、複数の大型刺繍模様の各々に関する複数の分割模様の刺繍縫製データを記憶した刺繍データ記憶手段と、ディスプレイを含む表示手段とを備えた刺繍縫製可能なミシンにおいて、
前記複数の大型刺繍模様を前記ディスプレイに刺繍状態に近い状態で夫々表示する為の複数の模様表示データを記憶した模様表示データ記憶手段と、
指定された大型刺繍模様の模様表示データを、前記模様表示データ記憶手段から読み出して表示手段に表示させる表示制御手段と、
を備えたことを特徴とする刺繍縫製可能なミシン。
【請求項２】
何れかの大型刺繍模様が選択された際に、前記表示制御手段は模様表示データ記憶手段から前記選択された大型刺繍模様の模様表示データを読み出して表示手段に表示させること特徴とする請求項１に記載の刺繍縫製可能なミシン。
【請求項３】
前記表示制御手段は、各大型刺繍模様の模様表示データから、その大型刺繍模様を構成する複数の分割模様の各々を表示手段に表示させる為の分割模様表示データを作成できるように構成したこと特徴とする請求項１又は２に記載の刺繍縫製可能なミシン。
【請求項４】
前記表示制御手段は、前記大型刺繍模様を構成する複数の分割模様の各々を刺繍縫製する際には、模様表示データ記憶手段から読み出した大型刺繍模様の模様表示データと、縫製する分割模様の縫製領域の領域表示データとを合成して表示手段に表示させること特徴とする請求項１〜３の何れかに記載の刺繍縫製可能なミシン。
【請求項５】
刺繍枠の刺繍領域よりも大きな大型刺繍模様を複数の分割模様に分割して刺繍縫製する為に、複数の大型刺繍模様の各々に関する複数の分割模様の刺繍縫製データを記憶した刺繍データ記憶手段と、ディスプレイを含む表示手段とを備えた刺繍縫製可能なミシンにおいて、
前記大型刺繍模様を前記ディスプレイにラフイメージで表示させる為のラフ表示データを記憶した表示データ記憶手段と、
前記刺繍データ記憶手段に記憶された分割模様の刺繍縫製データに基づいて、分割模様を刺繍状態に近い状態でディスプレイに表示させる為の詳細表示データを演算する表示データ演算手段と、
前記表示データ記憶手段に記憶されたラフ表示データと前記表示データ演算手段で演算された分割模様の詳細表示データとを合成して前記ディスプレイに部分詳細大型刺繍模様を表示させるように制御する表示制御手段と、
を備えたことを特徴とする刺繍縫製可能なミシン。
【請求項６】
前記表示データ演算手段は大型刺繍模様のうちの縫製対象として選定されている分割模様の詳細表示データを演算し、前記表示制御手段は前記縫製対象として選定された分割模様の部分ラフ表示データに代えて表示データ演算手段により演算された分割模様の詳細表示データを書き込んだ部分詳細大型刺繍模様の表示データを合成演算して前記ディスプレイに表示させることを特徴とする請求項５に記載の刺繍縫製可能なミシン。
【発明の詳細な説明】
【技術分野】
【０００１】
本発明は、刺繍縫製可能なミシンに関し、特に刺繍枠の刺繍領域よりも大きい大型刺繍模様の縫製に際して、大型刺繍模様の全体を、迅速に且つ詳細に表示できるようにしたものに関する。
【背景技術】
【０００２】
従来、刺繍枠を駆動する刺繍枠駆動機構を装備した刺繍縫製が可能なミシンにおいては、制御装置に有する不揮発性メモリ（内部メモリ）、或いはＲＯＭカードやフレキシブルディスク等の外部メモリに記憶してある複数種類の刺繍模様のうちから、選択した所望の１つの刺繍模様の刺繍縫製データを読み込んで、刺繍枠駆動機構により刺繍枠を移動駆動させながら刺繍模様を縫製するようになっている。
【０００３】
ところで、最近、大型の刺繍模様を縫製したいという要望があるため、刺繍枠の刺繍領域よりも大きい刺繍エリアを有する大型刺繍模様を縫製できるようにした、刺繍データ作成装置やミシン等が種々提案されている。
【０００４】
例えば、特許文献１の刺繍データ作成装置は、形状データメモリやＣＤ−ＲＯＭ等から読み込んだ大型の刺繍模様の形状データに基づいて、一度に縫製可能な単位刺繍領域が設定される。それ故、部分模様が各単位刺繍領域に分配され、最終的に設定された単位刺繍領域毎に刺繍データが作成され、大型の刺繍模様を複数回に分けて刺繍縫製するようにしてある。
【０００５】
ところで、このような大型刺繍模様を刺繍縫製するに際して、大型刺繍模様全体の縫い体裁をディスプレイ上で確認する場合に、大型刺繍模様の表示データを、刺繍縫製データとは別に記憶している場合には、その模様表示データを用いてディスプレイに表示させることができる。
【０００６】
しかし、大型刺繍模様を表示する為の模様表示データを何ら記憶していない場合には、ミシンによっては、大型刺繍模様の刺繍縫製データから表示データに展開させる表示データ作成処理を行い、その表示データ作成処理により作成された模様表示データをディスプレイに表示できるようにしたミシンも実用化されている。
【特許文献１】特開２０００−２４３５０号公報  （第４〜５頁、図１〜図４）
【発明の開示】
【発明が解決しようとする課題】
【０００７】
前述したように、予め刺繍縫製データに関連付けて記憶している大型刺繍模様の模様表示データのデータ量を少なくし、大型刺繍模様の全体をディスプレイ上で確認できるようにしているため、表示ドット数が非常に少なく、大型刺繍模様の詳細が分かるようにはなっていない。即ち、大型刺繍模様を実際に刺繍縫製しなければ、大型刺繍模様の詳細までは分からないという問題がある。
【０００８】
一方、表示データ作成処理により刺繍縫製データから表示データを作成する場合、１回の刺繍縫製で、例えば、１０〜２０万針もの針数による緻密な刺繍模様もあり、複数回の刺繍縫製に供する大量の刺繍縫製データから模様表示データを作成する表示データ作成処理に多大の演算時間を要すること、更に、その大量の刺繍縫製データから作成された表示データのデータ量が膨大になるため、大型刺繍模様の大きさに応じてＲＡＭ等の記憶媒体が大型化し、ミシンがコスト高になるだけでなく大型化すること、等の問題がある。
【課題を解決するための手段】
【０００９】
請求項１に係る刺繍縫製可能なミシンは、刺繍枠の刺繍領域よりも大きな大型刺繍模様を複数の分割模様に分割して刺繍縫製する為に、複数の大型刺繍模様の各々に関する複数の分割模様の刺繍縫製データを記憶した刺繍データ記憶手段と、ディスプレイを含む表示手段とを備えた刺繍縫製可能なミシンにおいて、複数の大型刺繍模様をディスプレイに刺繍状態に近い状態で夫々表示する為の複数の模様表示データを記憶した模様表示データ記憶手段と、指定された大型刺繍模様の模様表示データを、模様表示データ記憶手段から読み出して表示手段に表示させる表示制御手段とを備えたものである。
【００１０】
請求項２に係る刺繍縫製可能なミシンは、請求項１の発明において、何れかの大型刺繍模様が選択された際に、表示制御手段は模様表示データ記憶手段から選択された大型刺繍模様の模様表示データを読み出して表示手段に表示させるものである。
【００１１】
請求項３に係る刺繍縫製可能なミシンは、請求項１又は２の発明において、前記表示制御手段は、各大型刺繍模様の模様表示データから、その大型刺繍模様を構成する複数の分割模様の各々を表示手段に表示させる為の分割模様表示データを作成できるように構成したものである。
【００１２】
請求項４に係る刺繍縫製可能なミシンは、請求項１〜３の何れかの発明において、前記表示制御手段は、大型刺繍模様を構成する複数の分割模様の各々を刺繍縫製する際には、模様表示データ記憶手段から読み出した大型刺繍模様の模様表示データと、縫製する分割模様の縫製領域の領域表示データとを合成して表示手段に表示させるものである。
【００１３】
請求項５に係る刺繍縫製可能なミシンは、刺繍枠の刺繍領域よりも大きな大型刺繍模様を複数の分割模様に分割して刺繍縫製する為に、複数の大型刺繍模様の各々に関する複数の分割模様の刺繍縫製データを記憶した刺繍データ記憶手段と、ディスプレイを含む表示手段とを備えた刺繍縫製可能なミシンにおいて、大型刺繍模様をディスプレイにラフイメージで表示させる為のラフ表示データを記憶した表示データ記憶手段と、刺繍データ記憶手段に記憶された分割模様の刺繍縫製データに基づいて、分割模様を刺繍状態に近い状態でディスプレイに表示させる為の詳細表示データを演算する表示データ演算手段と、表示データ記憶手段に記憶されたラフ表示データと表示データ演算手段で演算された分割模様の詳細表示データとを合成してディスプレイに部分詳細大型刺繍模様を表示させるように制御する表示制御手段とを備えたものである。
【００１４】
請求項６に係る刺繍縫製可能なミシンは、請求項５の発明において、前記表示データ演算手段は大型刺繍模様のうちの縫製対象として選定されている分割模様の詳細表示データを演算し、表示制御手段は縫製対象として選定された分割模様の部分ラフ表示データに代えて表示データ演算手段により演算された分割模様の詳細表示データを書き込んだ部分詳細大型刺繍模様の表示データを合成演算してディスプレイに表示させるものである。
【発明の効果】
【００１５】
請求項１の発明によれば、刺繍枠の刺繍領域よりも大きな大型刺繍模様を複数の分割模様に分割して刺繍縫製する為に刺繍データ記憶手段と表示手段とを備えた刺繍縫製可能なミシンにおいて、模様表示データ記憶手段と、表示制御手段とを設けたので、恰も、刺繍縫製データから表示データを作成したかのように大型刺繍模様を詳細に表示できる。即ち、大型刺繍模様の全体を刺繍状態に近い、リアルな縫い上がり状態の縫目模様として表示できるため、大型刺繍模様の緻密性の高い模様表示を実現させることができる。
【００１６】
しかも、そのような刺繍状態に近い状態の大型刺繍模様の模様表示データを刺繍縫製データから作成するのではなく、模様表示データ記憶手段から読み出すだけなので、制御装置に何ら表示データ作成制御を強いることなく、大型刺繍模様の表示処理を迅速に行うことができ、大型刺繍模様の表示機能の充実化を図ることができる。更に、刺繍状態に近い状態の模様表示データのデータ量を適宜設定できるため、模様表示データ記憶手段の大型化を抑制することができる。
【００１７】
請求項２の発明によれば、何れかの大型刺繍模様が選択された際に、表示制御手段は模様表示データ記憶手段から選択された大型刺繍模様の模様表示データを読み出して表示手段に表示させるので、大型刺繍模様が選択される毎に、刺繍状態に近い状態の大型刺繍模様を自動的に必ず表示させることができるため、ユーザーによる大型刺繍模様の表示操作を省略することができ、しかも大型刺繍模様の認識を高めることができる。その他請求項１と同様の効果を奏する。
【００１８】
請求項３の発明によれば、前記表示制御手段は、各大型刺繍模様の模様表示データから、その大型刺繍模様を構成する複数の分割模様の各々を表示手段に表示させる為の分割模様表示データを作成できるように構成したので、大型刺繍模様を構成する複数の分割模様の各々の分割模様表示データを予め記憶しておかなくても、必要に応じて、分割模様に対応する分割模様表示データを、その都度抽出する等して作成できるため、模様表示データメモリの小型化だけでなく、模様表示データの有効利用を図ることができ、しかも各分割模様についても、刺繍状態に近い状態での表示が可能になる。その他請求項１又は２と同様の効果を奏する。
【００１９】
請求項４の発明によれば、前記表示制御手段は、大型刺繍模様を構成する複数の分割模様の各々を刺繍縫製する際には、模様表示データ記憶手段から読み出した大型刺繍模様の模様表示データと、縫製する分割模様の縫製領域の領域表示データとを合成して表示手段に表示させるので、縫製作業者は刺繍縫製に供する大型刺繍模様の詳細を見ながら、次に縫製する分割模様の縫製位置を確認することができ、刺繍枠に実際にセットする生地のセット位置の間違い防止に、万全の措置を講じることができる。その他請求項１〜３の何れかと同様の効果を奏する。
【００２０】
請求項５の発明によれば、刺繍枠の刺繍領域よりも大きな大型刺繍模様を複数の分割模様に分割して刺繍縫製する為に刺繍データ記憶手段と表示手段とを備えた刺繍縫製可能なミシンにおいて、表示データ記憶手段と、表示データ演算手段と、表示制御手段とを設けたので、大型刺繍模様を表示するに際してはラフイメージで表示されるものの、分割模様を順次縫製する場合に、その縫製対象として選定された分割模様については、リアルな縫い上がりの縫目模様を有する部分詳細大型刺繍模様として表示されるため、大型刺繍模様の緻密性の高い模様表示を実現させることができる。
【００２１】
更に、縫製対象の分割模様を選定する毎に、その分割模様に関する詳細表示データだけを演算するので、演算時間を迅速化でき、しかもその詳細表示データのデータ量が少ないため、作成した詳細表示データを格納する表示データメモリ容量及び表示データ記憶手段の大型化を抑制することができる。
【００２２】
請求項６の発明によれば、前記表示データ演算手段は大型刺繍模様のうちの縫製対象として選定されている分割模様の詳細表示データを演算し、表示制御手段は縫製対象として選定された分割模様の部分ラフ表示データに代えて表示データ演算手段により演算された分割模様の詳細表示データを書き込んだ部分詳細大型刺繍模様の表示データを合成演算してディスプレイに表示させるので、分割模様の部分ラフ表示データに代えて分割模様の詳細表示データを差し替えて表示データの合成処理が行われるため、表示データ合成処理の迅速化が図れ、しかも詳細部分を部分的に有する部分詳細大型刺繍模様を何ら違和感を感じさせることなく自然に表示させることができる。
【発明を実施するための最良の形態】
【００２３】
本実施形態における刺繍縫製可能なミシンは、複数の大型刺繍模様の各々を刺繍状態に近いリアルな縫目模様で表示する為の複数の模様表示データを予め記憶しておき、必要に応じてその模様表示データを読み込んで、随時表示できるようにしてある。
【実施例】
【００２４】
先ず、図１に示すように、刺繍縫いが可能な電子ミシンＭについて、簡単に説明する。この電子ミシンＭは、通常の家庭用の電子制御ミシンと同様のもので、ベッド部１と、ベッド部１の右端部から立設された脚柱部２と、脚柱部２の上端からミシンベッド部１に対向するように左方へ延びるアーム部３を有する。
【００２５】
ベッド部１の針板１ａの下側には、送り歯を上下動させる送り歯上下動機構（図示略）及び前後動させる送り歯前後動機構（図示略）に加えて、下糸ボビンを収容し縫針５と協働する全回転釜、糸切り機構等が設けられている。
【００２６】
アーム部３には、ミシンモータ３０で回転駆動される左右方向に延びるミシン主軸（図示略）と、このミシン主軸を作業者により手動操作で回転可能なハンドプーリ６と、下端に縫針５を装着した針棒４を上下動させる針棒駆動機構と、針棒４を布送り方向と直交する方向に揺動させる針棒揺動機構（図示略）と、天秤を針棒４の上下動に調時して上下動させる天秤駆動機構（図示略）等が設けられている。アーム部３の前面側には、縫製作業の起動と停止を指令する起動停止スイッチ７等が設けられている。
【００２７】
脚柱部２の前面には、大型でカラーの液晶ディスプレイ（以下、単にディスプレイという）８が設けられ、このディスプレイ８には、実用模様や刺繍模様等の種々の縫目模様、縫製作業に必要な各種の機能を実行させる機能名、更には各種のメッセージ等が表示される。
【００２８】
そのディスプレイ８の前面には、複数の実用模様や刺繍模様の模様名や各種の機能を実行させる機能名、各種の縫製パラメータ（送り量や針振り量等）の数値設定等の表示位置の各々に対応させて、透明電極からなるタッチキー（９ａ，９ｂ，９ｃ・・・）を設けた操作パネル９が設けられている。それ故、縫製に供する所望の刺繍模様の選択や機能の指示や数値設定が、これらタッチキー（９ａ，９ｂ，９ｃ・・・）を押圧操作することで実現することができる。
【００２９】
尚、送り歯上下動機構と針棒上下動機構とは、ミシンモータ３０（図２参照）で回転されるミシン主軸により駆動されるが、針棒揺動機構は針棒揺動用ステッピングモータ３１で独立して駆動されるとともに、送り歯前後動機構は送り歯駆動用ステッピングモータ３２で独立的に駆動される（図２参照）
【００３０】
ところで、ベッド部１の左端側部分に、刺繍枠１４（図１６参照）を用いた刺繍縫製のための刺繍枠駆動機構１０が着脱可能に装着される。刺繍枠駆動機構１０には、刺繍枠１４をＸ方向（左右方向）とＹ方向（前後方向）に夫々独立に駆動する。
【００３１】
それ故、刺繍枠駆動機構１０には、Ｙ方向駆動機構（図示略）を内蔵したＹ方向駆動部１１と、これをＸ方向（左右方向）へ駆動するＸ方向駆動機構（図示略）と、Ｘ方向駆動機構（図示略）を駆動するＸ送りモータ１２（図２参照）と、Ｙ方向駆動機構を駆動するＹ送りモータ１３（図２参照）とが設けられている。
【００３２】
刺繍枠駆動機構１０がベッド部１の左側に装着されると、実用縫いモードに代えて刺繍縫いモードが設定され、Ｘ送りモータ１２とＹ送りモータ１３とが電子ミシンＭがのコネクタ１５ａを介して電子ミシンＭの制御装置１５の出力インターフェース２１に電気的に接続され、制御装置１５によりこれら両送りモータ１２，１３が夫々独立して駆動制御され、刺繍枠１４がＸ方向とＹ方向に夫々独立に駆動される。
【００３３】
次に、電子ミシンＭの制御系について説明すると、図２に示すように、制御装置１５は、入力インターフェース１６と、ＣＰＵ１７とＲＯＭ１８及びＲＡＭ１９と電気的に書換え可能な不揮発性のフラッシュメモリ２０とを含むコンピュータと、出力インターフェース２１と、これらを相互に接続するデータバス等のバス２２と、駆動回路２３〜２６等を有する。
【００３４】
入力インターフェース１６には、起動停止スイッチ７と、タッチキーを有する操作パネル９等が接続されている。出力インターフェース２１には、これらモータ３０〜３２の為の駆動回路２３〜２５と、カラーディスプレイ（ＬＣＤ）８の為のディスプレイコントローラ（ＬＣＤＣ）３３と、刺繍枠駆動機構１０のＸ送りモータ１２とＹ送りモータ１３の為の駆動回路２６とが接続されている。
【００３５】
ＲＯＭ１８には、各種の駆動機構を駆動制御するとともに、実用模様や刺繍模様を選択する模様選択制御等を含むミシン制御プログラム、本願特有の後述する刺繍模様縫製制御の制御プログラム、等が予め格納されている。ＲＯＭ１８の刺繍データメモリ１８ａ（これが刺繍データ記憶手段に相当する）には、複数種類の実用模様のための縫製データや、複数種類の刺繍模様のための刺繍縫製データが模様番号毎に記憶されている。
【００３６】
ＲＯＭ１８の模様表示データメモリ１８ｂ（これが模様表示データ記憶手段に相当する）には、複数種類の刺繍模様を表示する為の模様表示データに加えて、刺繍枠１４の刺繍領域１４Ａよりも大きな大型刺繍模様を刺繍状態に近い状態で表示する為の複数の模様表示データが模様番号毎に記憶されている。
【００３７】
例えば、模様表示データメモリ１８ｂに記憶されている大型刺繍模様については、図３に示すように、大型刺繍模様番号と、大型刺繍模様名と、大型刺繍模様を刺繍状態に近い状態で表示する大型刺繍模様表示データ（モノクロのビットマップデータ）と、大型刺繍模様の表示サイズと、分割表示する模様数と、大型刺繍模様を構成する各分割模様（１，２，３，・・・）を表示させる表示サイズと、大型刺繍模様を選択画面にて選択するときのイラスト表示データと、各分割模様（１，２，３，・・・）を選択画面にて表示するときのイラスト表示データと、分割模様の縫製順序等が記憶されている。
【００３８】
ここで、図３に示す大型刺繍模様「花束１」３５に関して、大型刺繍模様番号「１」の「花束１」の模様表示データは、図４に示すように、大型刺繍模様「花束１」３５を刺繍状態に近い状態で、つまりリアルな縫い上がり状態の縫目模様として表示させるために、表示サイズ「X2,Y2」からなるモノクロのビットマップデータである。
【００３９】
また、分割模様１の表示サイズ（縫製領域）１４ａは「X0,Y1 、X0,Y2 、X1,Y2 、X1,Y1 」に設定され、分割模様２の表示サイズ（縫製領域）１４ｂは「X1,Y1 、X1,Y2 、X2,Y2 、X2,Y1 」に設定され、分割模様３の表示サイズ（縫製領域）１４ｃは「X0,Y0 、X0,Y1 、X1,Y1 、X1,Y0 」に設定され、分割模様４の表示サイズ（縫製領域）１４ｄは「X1,Y0 、X1,Y1 、X2,Y1 、X2,Y0 」に設定されている。
【００４０】
ＲＡＭ１９には、選択された刺繍縫製に供する刺繍模様の刺繍縫製データを記憶する縫製データメモリ１９ａと、模様表示データメモリ１８ｂから読み込まれてた模様表示データを格納する表示データメモリ１９ｂと、ＣＰＵ１９で演算処理した演算結果を収容する各種メモリ、ポインタ、カウンタ等が必要に応じて設けられている。
【００４１】
次に、制御装置１５で実行される刺繍模様縫製制御のルーチンについて、図５のフローチャートに基づいて説明する。但し、図中の符号Ｓｉ（ｉ＝１１、１２、１３・・・）は各ステップである。ここで、刺繍縫製モードが設定されたときに表示される「メニュー画面」（図１０参照）の表示中に、ワンポイント模様キー９ａが操作されると、図１１に示す「模様選択画面」が表示されるので、大型刺繍模様キー９ｆの操作で大型刺繍模様（例えば、「花束１」）３５が選択されると、この制御が開始される。
【００４２】
図１０の「メニュー画面」には、予め刺繍縫製データや模様表示データを記憶した複数の刺繍模様（図柄模様や文字模様）を個別に選択する複数の模様選択キー９ａ，９ｂ，９ｃ，・・・、その他複数の機能キー等が表示されている。また、図１１の「模様選択画面」には、大型刺繍模様キー９ｆ以外に、１回の刺繍縫製で完了する通常の刺繍模様を選択する通常模様選択キー９ｇ，９ｈ，・・・、その他複数の機能キー９ｐ，９ｑ，・・・等が表示されている。
【００４３】
大型刺繍模様キー９ｆの操作によりこの制御が開始されると、先ず、選択された大型刺繍模様の刺繍縫製データが刺繍データメモリ１８ａから読み込まれて縫製データメモリ１９ａに記憶され、その模様表示データが模様表示データメモリ１８ｂから読み込まれて表示データメモリ１９ｂに記憶され（Ｓ11）、大型刺繍模様の表示処理（図６参照）が実行される（Ｓ12）。
【００４４】
この制御が開始されると、先ず、選択された大型刺繍模様の模様表示データに基づいて、ディスプレイ８の模様表示領域に大型刺繍模様が表示される（Ｓ21）。例えば、図１２に示すように、大型刺繍模様表示画面には、ディスプレイ８の模様表示領域８ａに、選択した大型刺繍模様「花束１」３５の模様表示データに基づいて模様図柄が表示される。
【００４５】
この場合、選択した大型刺繍模様「花束１」３５が、図１１に示す大型刺繍模様キー９ｆ用に表示されるイラスト的な刺繍模様３５ｆ（図１３参照）でなく、大型刺繍模様「花束１」３５の全体を刺繍状態に近い、リアルな縫い上がり状態の縫目模様として表示されるため、大型刺繍模様「花束１」３５の緻密性の高い表示を実現させることができる。
【００４６】
それ故、縫製作業者はこのようなリアルな縫い上がり状態の縫目模様により、刺繍縫製する前段階において、選択した大型刺繍模様「花束１」３５の詳細を自分の目で確認することができる。次に、終了キー（ＣＬＯＳＥキー）９ｐが操作された場合には（Ｓ22：Yes ）、分割模様確認画面が表示され（Ｓ23）、この制御を終了して、刺繍模様縫製制御にリターンする。
【００４７】
例えば、図１３に示すように、ディスプレイ８のほぼ下半部分に、大型刺繍模様「花束１」３５のイラスト的な刺繍模様３５ｆと、その大型刺繍模様３５を構成する４つの分割模様３５ａ〜３５ｄを有する分割模様縫製順序確認画面が表示される。この場合、これら４つの分割模様３５ａ〜３５ｄの縫製順序が予め設定されているため、その縫製順序で左側から順々に表示される。
【００４８】
次に、刺繍模様縫製制御において、図１３の分割模様縫製順序確認画面を表示した状態で、分割模様縫製順序決定処理（図７参照）が実行される（Ｓ13）。この制御が開始されると、先ず、自動設定キー（ＡＵＴＯキー）９ｒが操作された場合には（Ｓ31：Yes ）、最終的な縫製順序は、予め設定されている縫製順序で決定され（Ｓ32）、この制御を終了して、刺繍模様縫製制御にリターンする。
【００４９】
しかし、電子ミシンＭの縫製機能により電子ミシンＭ自体で決定するセルフ設定キー（ＳＥＬＦキー）９ｓが操作された場合には（Ｓ32：Yes ）、最終的な縫製順序は、予め設定されている縫製順序を参考にして、電子ミシンＭの縫製機能に応じて決定され（Ｓ34）、この制御を終了する。
【００５０】
ところで、ユーザー設定キー（ＵＳＥＲキー）９ｔが操作された場合には（Ｓ35：Yes ）、最終的な縫製順序は、縫い縮み等を考慮して、縫製作業者により決定され（Ｓ36）、この制御を終了する。この縫製作業者による縫製順序は、縫製作業者が分割模様３５ａ〜３５ｄを縫製順に順次押圧操作することにより決定される。
【００５１】
次に、刺繍模様縫製制御において、表示模様切換えキー（ＩＭＡＧＥキー）９ｗが操作された場合には（Ｓ14：Yes ）、表示模様切換え処理（図８参照）が実行される（Ｓ15）。この制御が開始されると、先ず、大型刺繍模様表示キー（ＷＨＯＬＥキー）９ｕが操作された場合には（Ｓ41：Yes ）、大型刺繍模様表示画面に、これから刺繍縫製する分割模様の縫製領域を伴った大型刺繍模様３５が表示される（Ｓ42）。
【００５２】
例えば、１番目の分割模様３５ａを縫製する場合には、図１４に示すように、大型刺繍模様「花束１」３５に加えて、１番目の分割模様３５ａの矩形状の縫製領域１４ａが表示される。このように、縫製領域付き大型刺繍模様表示画面に、１番目の分割模様３５ａの縫製領域１４ａを伴った大型刺繍模様３５を表示させる場合、前述したように、大型刺繍模様３５に予め設定されている分割模様１の縫製領域１４ａ「X0,Y1 、X0,Y2 、X1,Y2 、X1,Y1 」に基づいて、これら矩形状の４点を結ぶ４つの線分を有する領域表示データが生成され、大型刺繍模様３５の模様表示データに領域表示データを合成して表示される。
【００５３】
次に、終了キー（ＣＬＯＳＥキー）９ｐが操作された場合には（Ｓ43：Yes ）、分割模様表示画面が表示され（Ｓ44）、この制御を終了して、刺繍模様縫製制御にリターンする。例えば、１番目の分割模様３５ａの刺繍縫製に際しては、図１５に示す分割模様表示画面が表示される。
【００５４】
しかし、分割模様表示キー（ＤＩＶＩＤＥキー）９ｖが操作された場合には（Ｓ45：Yes ）、刺繍枠付き分割模様が表示される（Ｓ46）。例えば、図１６に示すように、刺繍枠付き分割模様表示画面には、刺繍枠１４及びその刺繍領域１４Ａと、刺繍領域１４Ａ内に縫製する分割模様３５ａとが組み合わせて表示される。
【００５５】
一方、表示模様切換えキー９ｗが操作されずに、起動停止スイッチ７が操作され、分割模様の縫製開始の場合には（Ｓ14：No、Ｓ18：Yes ）、Ｓ16以降により、分割模様表示画面を表示させながら、分割模様の刺繍縫製が実行される。
【００５６】
次に、刺繍模様縫製制御において、分割模様の縫製処理（図９参照）が実行される（Ｓ16）。この制御が開始されると、先ず、ディスプレイ８には、今回刺繍縫製する分割模様を有する分割模様表示画面が表示される（Ｓ51）。例えば、１番目の分割模様３５ａを刺繍縫製する場合には、図１５に示すように、１番目の分割模様３５ａを有する分割模様表示画面が表示される。
【００５７】
その分割模様表示画面を表示した状態で、今回の分割模様の刺繍縫製が開始され（Ｓ52）、その分割模様の刺繍縫製が終了すると（Ｓ53：Yes ）、この制御を終了し、刺繍模様縫製制御にリターンする。刺繍模様縫製制御において、全ての分割模様の縫製が終了していない場合には（Ｓ17：No）、Ｓ14以降が繰り返して実行される。
【００５８】
ところで、このように、順々に次の分割模様が刺繍縫製されるのに伴って、表示模様切換え処理において、図１４の縫製領域付き大型刺繍模様表示画面に２点鎖線で示すように、２番目の分割模様３５ｂの刺繍縫製に際しては、矩形状の縫製領域１４ｂが表示され、３番目の分割模様３５ｃの刺繍縫製に際しては、矩形状の縫製領域１４ｃが表示され、４番目の分割模様３５ｃの刺繍縫製に際しては、矩形状の縫製領域１４ｃが表示される。そして、全ての分割模様の縫製が終了した場合（Ｓ17：Yes ）、この制御が終了する。
【００５９】
ここで、液晶ディスプレイ８やディスプレイコントローラ３３等で表示手段が構成され、刺繍模様縫製制御のＳ11，Ｓ12、大型刺繍模様の表示処理制御のＳ21、表示模様切換え処理制御のＳ42等から表示制御手段が構成されている。
【００６０】
このように、ＲＯＭ１８の模様表示データメモリ１８ｂに、大型刺繍模様を刺繍状態に近い状態で表示する大型刺繍模様表示データ（モノクロのビットマップデータ）を記憶するようにしたので、大型刺繍模を表示するに際しては、恰も、刺繍縫製データから表示データを作成したかのように大型刺繍模様を詳細に表示することができる。
【００６１】
即ち、大型刺繍模様の全体を刺繍状態に近い、リアルな縫い上がり状態の縫目模様として表示できるため、大型刺繍模様の緻密性の高い模様表示を実現させることができる。しかも、そのような刺繍状態に近い状態の大型刺繍模様の模様表示データを刺繍縫製データから作成するのではなく、模様表示データメモリ１８ｂから読み出すだけなので、制御装置１５に何ら表示データ作成制御を強いることなく、大型刺繍模様の表示処理を迅速に行うことができ、大型刺繍模様の表示機能の充実化を図ることができる。
【００６２】
また、何れかの大型刺繍模様３５が選択された際に、模様表示データメモリ１８ｂから選択された大型刺繍模様３５の模様表示データが読み出され、ディスプレイ８に表示させるので、大型刺繍模様３５が選択される毎に、刺繍状態に近い状態の大型刺繍模様３５を自動的に必ず表示させることができるため、縫製作業者による大型刺繍模様３５の表示操作を省略することができ、しかも大型刺繍模様３５の認識を高めることができる。
【００６３】
更に、大型刺繍模様３５を構成する複数の分割模様３５ａ〜３５ｄの各々を刺繍縫製する際には、模様表示データメモリ１８ｂから読み出した大型刺繍模様３５の模様表示データと、縫製する分割模様３５ａ〜３５ｄの縫製領域の領域表示データとを合成してディスプレイ８に表示させるので、縫製作業者は刺繍縫製に供する大型刺繍模様３５の詳細を見ながら、次に縫製する分割模様３５ａ〜３５ｄの縫製位置を確認することができ、刺繍枠１４に実際にセットする生地のセット位置の間違い防止に、万全の措置を講じることができる。
【００６４】
次に、前記実施例の変更形態について説明する。
【００６５】
１〕図１１の「模様選択画面」の表示に代えて、図１７の「模様選択画面」の表示のように、大型刺繍模様９ｆであっても、１回の刺繍縫製で完了する通常の刺繍模様を選択する通常模様選択キー９ｇ，９ｈ，と同じ大きさで表示させるようにしてもよい。
【００６６】
２〕図１３に示す分割模様縫製順序確認画面の表示に際して、大型刺繍模様「花束１」３５を構成する４つの分割模様３５ａ〜３５ｄに専用の分割模様表示データを、大型刺繍模様の模様表示データに付随させて記憶させるのではなく、大型刺繍模様３５の模様表示データのうちの、各分割模様の表示サイズで規定される分割模様領域の部分表示データを抽出することで、分割模様表示データを作成するようにしてもよい。
【００６７】
この場合には、分割模様の為の分割模様表示データを別途記憶させる必要がなく、表示データメモリ１９ｂのメモリ容量を小型化させることができ、大型刺繍模様の模様表示データの有効利用が図れ、しかも各分割模様についても、刺繍状態に近い状態でリアルな縫い上がり体裁で表示させることができる。
【００６８】
３〕前述した表示模様切換え処理制御を図１８に示すように部分的に変更し、大型刺繍模様をラフイメージで表示するものの、縫製対象として選定された分割模様についてだけ詳細に表示するようにしてもよい。
【００６９】
即ち、ＲＯＭ１８の表示データメモリに大型刺繍模様をディスプレイ８にラフイメージで表示させる為のラフ表示データを記憶しておく。そのラフ表示データは、縫目を表示しないモノクロのビットマップデータで構成されている。大型刺繍模様表示キー９ｕが操作された場合には（Ｓ41：Yes ）、刺繍データメモリ１８ａに記憶された分割模様の刺繍縫製データに基づいて、縫製対象として選定されている分割模様を刺繍状態に近い状態で、つまり糸色コードに基づいた表示色により縫目をイメージさせる詳細模様としてディスプレイ８に表示させる為の詳細表示データが演算される（Ｓ42A)。
【００７０】
次に、ＲＯＭ１８の表示データメモリに記憶されたラフ表示データに代えて、Ｓ４２Ａで演算された分割模様の詳細表示データを書き込んだ部分詳細大型刺繍模様の表示データが合成演算され（Ｓ42B)、その合成された部分大型大型刺繍模様３５Ａが縫製領域を伴って表示される（Ｓ42C)。ここで、表示模様切換え処理制御のＳ４２Ａ等が表示データ演算手段に相当し、また表示模様切換え処理制御のＳ４２Ｂ及び４２Ｃ等が表示制御手段に相当する。
【００７１】
例えば、図１９に示すように、１番目の分割模様３５ａを縫製する場合には、ラフイメージの大型刺繍模様「花束１」３５Ａに加えて、１番目の分割模様３５ａの矩形状の縫製領域１４ａだけは、刺繍状態に近い状態で表示される。
【００７２】
この場合、大型刺繍模様を表示するに際してはラフイメージで表示されるものの、分割模様を順次縫製する場合に、その縫製対象として選定された分割模様については、リアルな縫い上がりの縫目模様を有する部分詳細大型刺繍模様として表示されるため、大型刺繍模様の緻密性の高い模様表示を実現させることができる。
【００７３】
更に、縫製対象の分割模様を選定する毎に、その分割模様に関する詳細表示データだけを演算するので、演算時間を迅速化でき、しかもその詳細表示データのデータ量が少ないため、作成した詳細表示データをＲＡＭ１９に格納する有する表示データメモリ及びＲＯＭ１８に有する表示データメモリの大型化を抑制することができる。
【００７４】
４〕大型刺繍模様の模様表示データは、カラー情報を含めたカラーの表示データであってもよい。
【００７５】
５〕本発明は以上説明した実施の形態に限定されるものではなく、当業者でれば、本発明の趣旨を逸脱しない範囲で、前記実施形態に種々の変更を付加して実施することができ、本発明はそれらの変更形態をも包含するものである。
【図面の簡単な説明】
【００７６】
【図１】本発明の実施例に係る刺繍縫いが可能な電子ミシンの斜視図である。
【図２】電子ミシンの制御系のブロック図である。
【図３】大型刺繍模様の模様データ内容を示す図表である。
【図４】大型刺繍模様と分割模様の位置関係を示す説明図である。
【図５】刺繍模様縫製制御のフローチャートである。
【図６】大型刺繍模様の表示処理制御のフローチャートである。
【図７】分割模様縫製順序決定処理制御のフローチャートである。
【図８】表示模様切換え処理制御のフローチャートである。
【図９】分割模様の縫製処理制御のフローチャートである。
【図１０】メニュー画面の表示例を示す図である。
【図１１】刺繍模様選択画面の表示例を示す図である。
【図１２】大型刺繍模様表示画面の表示例を示す図である。
【図１３】分割模様縫製順序確認画面の表示例を示す図である。
【図１４】縫製領域付き大型刺繍模様表示画面の表示例を示す図である。
【図１５】分割模様表示画面の表示例を示す図である。
【図１６】刺繍枠付き分割模様表示画面の表示例を示す図である。
【図１７】変更形態に係る図１１相当図である。
【図１８】変更形態に係る図８相当図である。
【図１９】変更形態に係る図１４相当図である。
【符号の説明】
【００７７】
Ｍ      刺繍縫いが可能な電子ミシン
８      液晶ディスプレイ
１４    刺繍枠
１５    制御装置
１８    ＲＯＭ
１９    ＲＡＭ
１８ａ  刺繍データメモリ
１８ｂ  模様表示データメモリ
３５    大型刺繍模様「花束１」
３５Ａ  部分詳細大型刺繍模様「花束１」
３５ａ〜３５ｄ  分割模様
【図１】
2006043232.tif 000003
【図２】
2006043232.tif 000004
【図３】
2006043232.tif 000005
【図４】
2006043232.tif 000006
【図５】
2006043232.tif 000007
【図６】
2006043232.tif 000008
【図７】
2006043232.tif 000009
【図８】
2006043232.tif 000010
【図９】
2006043232.tif 000011
【図１０】
2006043232.tif 000012
【図１１】
2006043232.tif 000013
【図１２】
2006043232.tif 000014
【図１３】
2006043232.tif 000015
【図１４】
2006043232.tif 000016
【図１５】
2006043232.tif 000017
【図１６】
2006043232.tif 000018
【図１７】
2006043232.tif 000019
【図１８】
2006043232.tif 000020
【図１９】
2006043232.tif 000021